(57)【要約】      （修正有）【課題】頭部から発せられた熱を確実に外部に放出することが可能な、非常に通気性に優れた帽子を提供する。【解決手段】帽体１１と、帽体１１の周縁部に固定されたひさし部１３と、帽体１１の内側下端周縁部１４に固定され、帽体１１が頭部に装着された場合に前記頭部に当接する頭部当接帯１５と、頭部当接帯１５の幅方向外方に延設され、かつひさし部１３の内方基端部１６に固定され、メッシュ状に形成された第１通気部１７と、を有する帽子１０であって、帽体１１の構成部材を厚さ方向に連通し、帽体１１の外周部に設けられた第２通気部を有することを特徴とする、帽子１０である。【選択図】図２
0003183837.tif 000002
【実用新案登録請求の範囲】
【請求項１】
帽体と、前記帽体の周縁部に固定されたひさし部と、前記帽体の内側下端周縁部に固定され、前記帽体が頭部に装着された場合に前記頭部に当接する頭部当接帯と、前記頭部当接帯の幅方向外方に延設され、かつ前記ひさし部の内方基端部に固定され、メッシュ状に形成された第１通気部と、を有する帽子であって、前記帽体の構成部材を厚さ方向に連通し、前記帽体の外周部に設けられた第２通気部を有することを特徴とする、帽子。
【請求項２】
前記第１通気部は、平面三日月形状に形成されていることを特徴とする、請求項１に記載の帽子。
【請求項３】
前記第１通気部は、平面ドーナツ形状に形成されていることを特徴とする、請求項１に記載の帽子。
【請求項４】
前記第２通気部は、前記帽体の上下方向に沿って配置された複数のスリットにより形成されていることを特徴とする、請求項１〜３の何れか１項に記載の帽子。
【請求項５】
前記帽体の側頭部対応部に設けられた前記第２通気部は、上端部よりも下端部が後頭部寄りに設けられ、全体として後方へ傾斜して形成されていることを特徴とする、請求項４に記載の帽子。
【請求項６】
前記第２通気部は、前記帽体の周方向に沿って配置されたスリットにより形成されていることを特徴とする、請求項１〜３の何れか１項に記載の帽子。
【請求項７】
前記帽体は、帽体本体部と、前記ひさし部の内周縁部に接合された立ち上り部と、により構成され、前記スリットは、前記帽体本体部の下端部と、前記下端部の内方側に配置される前記立ち上り部の上端部と、により構成されていることを特徴とする、請求項６に記載の帽子。
【請求項８】
前記第２通気部の内方には、前記帽体内側にメッシュ状部材が配設されていることを特徴とする、請求項１〜７の何れか１項に記載の帽子。
【考案の詳細な説明】
【技術分野】
【０００１】
本考案は、防暑及び防滴用の帽子に関するものである。
【背景技術】
【０００２】
強い日差しを長時間に亘って頭部に浴びると日射病にかかるおそれがあるために、日差しの強い日中における野外活動は帽子を被って行うように薦められている。
【０００３】
しかし、夏の暑い時期に帽子を被ると、頭が蒸れて不快さを感じることも多いために、帽子を敬遠する者も多い。
【０００４】
特に、撥水加工や防水加工が施された生地を、着用者の頭部を被覆する帽体の表地に使用した帽子は、通気性を確保することが困難であるために、そのような傾向が強い。
【０００５】
このような実状に鑑み、帽子メーカーは、通気性を向上させるための様々な工夫を帽子に施すようになってきている。
【０００６】
例えば、帽体の通気性を確保するために、メッシュ状に形成された通気部を帽体の内方下端周縁部に設けた帽子（例えば、特許文献１〜４参照）や、メッシュ状に形成された通気孔を帽体の外周部に設けた帽子（例えば、特許文献５及び６参照）などが知られている。
【０００７】
しかしながら、特許文献１〜６に記載の帽子においては、帽子の着用時に帽体内部の通気性を十分に確保することができないので、頭部の蒸れを解消するに至らず、特に近年の猛暑には対応できないという問題があった。
【０００８】
また、特許文献２、５及び６に記載の帽子においては、通気孔が外向きに開口しているため、通気孔から雨滴が入り込んで頭部が濡れてしまい、にわか雨や夕立などの急な降雨時には適用できないという問題があった。
【特許文献１】特許第３７３３３２６号公報
【特許文献２】実用新案登録第３１２１４３０号公報
【特許文献３】実用新案登録第３１４５７９９号公報
【特許文献４】実用新案登録第３０４８７９５号公報
【特許文献５】特許第５０９７０６５号公報
【特許文献６】特許第５１１２２７１号公報
【考案の開示】
【考案が解決しようとする課題】
【０００９】
本考案は、上記従来技術の有する問題点に鑑みなされたものであり、その目的とするところは、頭部から発せられた熱を確実に外部に放出することが可能な、非常に通気性に優れた帽子を提供することにある。
【００１０】
また、本考案の他の目的とするところは、優れた通気性を確保しつつ、帽体の外周部に設けた通気孔への雨滴の流入を防止して頭部を濡らすことのない、防滴効果に優れた帽子を提供することにある。
【課題を解決するための手段】
【００１１】
本考案の上記課題は、下記の手段によって達成される。
【００１２】
請求項１に記載の考案にあっては、帽体と、前記帽体の周縁部に固定されたひさし部と、前記帽体の内側下端周縁部に固定され、前記帽体が頭部に装着された場合に前記頭部に当接する頭部当接帯と、前記頭部当接帯の幅方向外方に延設され、かつ前記ひさし部の内方基端部に固定され、メッシュ状に形成された第１通気部と、を有する帽子であって、前記帽体の構成部材を厚さ方向に連通し、前記帽体の外周部に設けられた第２通気部を有することを特徴とする。
【００１３】
従って、請求項１に記載の考案にあっては、前記第１通気部と前記第２通気部とを有する構成により、かかる帽子を着用した場合に、着用者の前頭部と両側頭部との間に前記第１通気部から前記第２通気部へ抜ける空気の流路を形成することができる。
【００１４】
請求項２に記載の考案にあっては、前記第１通気部は、平面三日月形状に形成されていることを特徴とする。
【００１５】
従って、請求項２に記載の考案にあっては、平面三日月形状に形成された第１通気部と前記第２通気部とを有する構成により、両通気部の間に空気の流路を形成することができる。
【００１６】
請求項３に記載の考案にあっては、前記第１通気部は、平面ドーナツ形状に形成されていることを特徴とする。
【００１７】
従って、請求項３に記載の考案にあっては、平面ドーナツ形状に形成された第１通気部と前記第２通気部とを有する構成により、両通気部の間に空気の流路を形成することができる。
【００１８】
請求項４に記載の考案にあっては、前記第２通気部は、前記帽体の上下方向に沿って配置された複数のスリットにより形成されていることを特徴とする。
【００１９】
従って、請求項４に記載の考案にあっては、前記第１通気部と複数のスリットにより形成された第２通気部とを有する構成により、両通気部の間に複数の空気の流路を形成することができる。
【００２０】
請求項５に記載の考案にあっては、前記帽体の側頭部対応部に設けられた前記第２通気部は、上端部よりも下端部が後頭部寄りに設けられ、全体として後方へ傾斜して形成されていることを特徴とする。
【００２１】
従って、請求項５に記載の考案にあっては、第２通気部が、下端部が後頭部寄りに設けられ、全体として後方へ傾斜して形成されていることから、雨天時であっても雨滴が前記第２通気部に入りにくい。
【００２２】
請求項６に記載の考案にあっては、前記第２通気部は、前記帽体の周方向に沿って配置されたスリットにより形成されていることを特徴とする。
【００２３】
従って、請求項６に記載の考案にあっては、前記第１通気部と前記帽体の周方向に沿って配置されたスリットにより形成された第２通気部とを有する構成により、両通気部の間に空気の流路を形成することができる。
【００２４】
請求項７に記載の考案にあっては、前記帽体は、帽体本体部と、前記ひさし部の内周縁部に接合された立ち上り部と、により構成され、前記スリットは、前記帽体本体部の下端部と、前記下端部の内方側に配置される前記立ち上り部の上端部と、により構成されていることを特徴とする。
【００２５】
従って、請求項７に記載の考案にあっては、前記帽体本体部が前記立ち上り部をカバーする構成により、雨天時であっても雨滴が帽体本体部に沿って流下し、帽体本体部がカバーの役割を果たして雨滴の流入を確実に防ぐことができる。
【００２６】
請求項８に記載の考案にあっては、前記第２通気部の内方には、前記帽体内側にメッシュ状部材が配設されていることを特徴とする。
【００２７】
従って、請求項８に記載の考案にあっては、前記第２通気部の内方には、前記帽体内側にメッシュ状部材が配設される構成により、前記第１通気部から前記第２通気部へ抜ける空気の流路を形成することができる。
【考案の効果】
【００２８】
請求項１に記載の考案にあっては、前記第１通気部と前記第２通気部とを有する構成により、かかる帽子を着用した場合に、着用者の前頭部と両側頭部との間に前記第１通気部から前記第２通気部へ抜ける空気の流路を形成することができることから、頭部と帽体内部との間に空気の流路を有効に形成することにより、頭部から発せられた熱を確実に外部に放出することができるので、近年における猛暑日でも、頭部の蒸れを防止して快適に着用することが可能となる。
【００２９】
請求項２に記載の考案にあっては、平面三日月形状に形成された第１通気部と前記第２通気部とを有する構成により、両通気部の間に空気の流路を形成することができることから、帽体に配設する場合に接合しやすい形状であるので、空気の流れを阻害することなく、優れた通気性を確保することができる。
【００３０】
請求項３に記載の考案にあっては、平面ドーナツ形状に形成された第１通気部と前記第２通気部とを有する構成により、両通気部の間に空気の流路を形成することができることから、帽体に配設する場合に接合しやすい形状であるので、空気の流れを阻害することなく、優れた通気性を確保することができる。
【００３１】
請求項４に記載の考案にあっては、前記第１通気部と複数のスリットにより形成された第２通気部とを有する構成により、両通気部の間に複数の空気の流路を形成することができることから、スリットの外観形状が帽子のデザイン性を向上させつつ空気の流路を確保して、頭部から発せられた熱を確実に外部に放出することができる。
【００３２】
請求項５に記載の考案にあっては、第２通気部が、下端部が後頭部寄りに設けられ、全体として後方へ傾斜して形成されていることから、雨天時であっても雨滴が前記第２通気部に入りにくく、全体として後方へ傾斜した第２通気部を形成することにより、優れた通気性を確保しつつ、雨滴の流入を確実に防止することができるので、急な降雨時であっても頭部を濡らさずに着用することができる。
【００３３】
請求項６に記載の考案にあっては、前記第１通気部と前記帽体の周方向に沿って配置されたスリットにより形成された第２通気部とを有する構成により、両通気部の間に空気の流路を形成することができることから、スリットの外観形状が帽子のデザイン性を向上させつつ空気の流路を確保して、頭部から発せられた熱を確実に外部に放出することができる。
【００３４】
請求項７に記載の考案にあっては、前記帽体本体部が前記立ち上り部をカバーする構成により、雨天時であっても雨滴が帽体本体部に沿って流下し、帽体本体部がカバーの役割を果たして雨滴の流入を確実に防ぐことができることから、カバー付きの第２通気部を形成することにより、優れた通気性を確保しつつ、雨滴の流入を確実に防止することができるので、急な降雨時であっても頭部を濡らさずに着用することができる。
【００３５】
請求項８に記載の考案にあっては、前記第２通気部の内方には、前記帽体内側にメッシュ状部材が配設される構成により、前記第１通気部から前記第２通気部へ抜ける空気の流路を形成することができることから、メッシュ状部材の外観形状が帽子のデザイン性を向上させつつ空気の流路を確保して、頭部から発せられた熱を確実に外部に放出することができる。
【図面の簡単な説明】
【００３６】
【図１】図１は、本考案にかかる第１の実施形態にかかる帽子を示す側面図である。
【図２】図２は、本考案にかかる第１の実施形態にかかる帽子を示し、かかる帽子を下方から見た斜視図である。
【図３】図３は、本考案にかかる第２の実施形態にかかる帽子を示す側面図である。
【図４】図４は、本考案にかかる第２の実施形態にかかる帽子を示し、かかる帽子を下方から見た斜視図である。
【図５】図５は、図４に示した帽子を紙面に対して縦方向に切断し、矢印の方向から見たＡ−Ａ段面図である。
【考案を実施するための最良の形態】
【００３７】
以下、本考案の実施の形態を、図面を参照して詳細に説明する。なお、本考案の帽子は、以下の実施形態に限定されるものではなく、本考案の要旨を逸脱しない範囲内において種々変更を加え得ることは勿論である。
【００３８】
まず、本考案の第１の実施形態にかかる帽子（キャップ型の帽子）について説明する。
【００３９】
図１は、本考案にかかる第１の実施形態にかかる帽子１０を示す側面図である。また、図２は、本考案にかかる第１の実施形態にかかる帽子１０を示し、帽子１０を下方から見た斜視図である。
【００４０】
図１及び図２に示すように、本考案の帽子１０は、帽体１１と、帽体下端周縁部１２に固定されたひさし部１３と、帽体１１の内側下端周縁部１４に固定され、帽体１１が着用者の頭部に装着された場合に前記頭部に当接する頭部当接帯１５と、頭部当接帯１５の幅方向外方に延設され、かつひさし部１３の内方基端部１６に固定され、メッシュ状に形成された第１通気部１７と、帽体１１の構成部材を厚さ方向に連通し、帽体外周部１８に設けられた第２通気部１９とを有しており、第２通気部１９の内方には、帽体１１の内側にメッシュ状部材２０が配設されている。
【００４１】
本考案の帽子１０は、布材からなるドーム形状の帽体１１と、略半円形状からなる芯材を布材で被覆することにより形成されたひさし部１３とを有し、ひさし部１３が前頭部寄りの帽体下端周縁部１２に縫合されることにより、接合されてキャップ形状に形成されている。
【００４２】
帽体１１は、平面略円形状の布材からなる頭頂被覆片部２１と、ひさし部１３に接合され、帯状の布材からなる帯状基片部２２と、上端部が頭頂被覆片部２１の周縁部に縫合されると共に、下端部は帯状基片部２２に縫合された頭側被覆片部２３とにより構成され、第２通気部１９は頭側被覆片部２３に設けられている。
【００４３】
頭側被覆片部２３は、側面略台形状の布材からなる前部被覆片部２４と、４枚の側面略平行四辺形状の布材からなる頭側被覆小片部２５と、２枚の側面略逆台形状の布材からなる後部被覆片部２６とにより構成されている。
【００４４】
頭側被覆片部２３は、前頭部側から、前部被覆片部２４、２枚の頭側被覆小片部２５、２枚の後部被覆片部２６、２枚の頭側被覆小片部２５の順に、頭部を囲むように配置され、各被覆片部の端部同士が裏面側でそれぞれ縫合されることにより接合されて筒形状に形成されている。
【００４５】
メッシュ状部材２０は、平面略円形状のメッシュ状布材からなる頭頂被覆メッシュ片部２７と、帯状のメッシュ状布材からなる頭側被覆メッシュ片部２８とにより構成されている。
【００４６】
メッシュ状部材２０は、頭側被覆メッシュ片部２８の両端部が裏面側で縫合されると共に、頭頂被覆メッシュ片部２７の周縁部と、頭側被覆メッシュ片部２８の周縁部とが、裏面側で縫合されることにより接合されてドーム形状に形成され、帽体１１の内側下端周縁部１４と、メッシュ状部材２０の外側下端周縁部とが、互いに密着した状態で縫合されている。
【００４７】
頭部当接帯１５は、所定幅の帯状の吸水性布材からなり、メッシュ状部材２０を介して帽体１１の内側下端周縁部１４に沿って、ひさし部１３が縫合された内側下端周縁部１４を除いた略全周域に亘って、帯状基片部２２に縫合固定されている。
【００４８】
頭部当接帯１５の両端部の間には、略長方形状の伸縮性布材からなる調節部材２９が縫合固定されており、頭部当接帯１５の当接帯前部３０には、ひさし部１３との間に第１通気部１７が設けられている。
【００４９】
第１通気部１７は、平面三日月形状のメッシュ状布材からなり、メッシュ状部材２０を介して帽体１１の内側下端周縁部１４に沿って、ひさし部１３の内周部３１の略全周域に亘って配置されている。
【００５０】
両端部の間に調節部材２９が縫合固定された頭部当接帯１５は、帽体１１の内側下端周縁部１４に沿って縫合されると共に、第１通気部１７の内周縁部３２に沿って、ひさし部１３の幅方向両端部３３に亘って縫合されている。
【００５１】
第１通気部１７は、ひさし部１３の幅方向両端部３３、３３からひさし部１３と同一平面上に配置されるように、ひさし部１３の内側縁部３４から内方側へ平面三日月形状に延設されている。
【００５２】
第２通気部１９は、帽体１１の上下方向に沿って配置された７つの細幅のスリット３５により形成されている。
【００５３】
第２通気部１９は、帽体１１の前頭部周辺を除いた帽体外周部１８に、スリット３５のスリット上端部３６よりもスリット下端部３７が後頭部寄りに所定間隔を置いて配置され、全体として後方へ傾斜して形成されている。
【００５４】
第２通気部１９は、前部被覆片部２４と頭側被覆小片部２５との端部同士、２枚の頭側被覆小片部２５の端部同士、頭側被覆小片部２５と後部被覆片部２６との端部同士をそれぞれ縫合する際に、それぞれの端部の一部同士を縫合して端部以外の部分を縫着しないことにより、帽体１１の内外を厚さ方向に連通したスリット３５を形成している。
【００５５】
次に、本考案の帽子１０の作用について説明する。
【００５６】
本考案の帽子１０を使用するには、ひさし部１３を着用者の頭部の前部に配置するように把持して、頭部当接帯１５を前記頭部の周面上に配置するように着用する。
【００５７】
本考案の帽子１０は、伸縮性材からなる調節部材２９が帽体１１の後部に配置されているので、前記頭部の周方向の長さ寸法に応じて、調節部材２９が伸縮し、前記頭部の周方向の長さ寸法によらずに帽子１０を着用することができる。
【００５８】
メッシュ状に形成された第１通気部１７は、ひさし部１３と同一平面上に形成されているので、着用者の額に対して直角に配置され、帽体１１の前部において着用した場合に、前記額の前方に配置される。
【００５９】
７つのスリット３５により形成された第２通気部１９は、着用者の前頭部周辺を除いた頭側外周部に、所定間隔を置いて配置される。
【００６０】
本考案の帽子１０は、前記額の幅方向略全域に亘って配置されると共に、前記頭部の前部に配置された第１通気部１７と第２通気部１９との間に空気の流路が形成され、前記頭部と帽子１０との間に前記頭部の前部から空気を導入し、その空気と共に帽体１１の内部に篭った熱を、メッシュ状部材２０を介して第２通気部１９から外部に放出することができる。
【００６１】
従って、本実施形態にあっては、着用者の前頭部と両側頭部との間に第１通気部１７から第２通気部１９へ抜ける空気の流路が形成されるので、例えば、近年における猛暑日であっても、前記頭部の蒸れを防止し、通気性が良好で快適に着用できる帽子１０を提供することができる。
【００６２】
また、第１通気部１７は、平面三日月形状に形成されると共にメッシュ状に形成されており、また、第２通気部１９は、メッシュ状部材２０を介して布材の内外を厚さ方向に連通しているので、通気性を良好に確保できる。
【００６３】
また、ひさし部１３により太陽光を遮ると共に、第１通気部１７及び第２通気部１９により通気を確保できることから、快適な装着感を持つ帽子１０を提供することができる。
【００６４】
また、帯状の頭部当接帯１５を前記頭部の周面部に配置することにより、帽子１０を前記頭部にフィットさせることができ、良好な装着感を得られると共に、着用した後においても脱げ難い帽子１０とすることができる。
【００６５】
次に、本考案の第２の実施形態にかかる帽子（ハット型の帽子）について説明する。
【００６６】
図３は、本考案にかかる第２の実施形態にかかる帽子５０を示す側面図である。また、図４は、本考案にかかる第２の実施形態にかかる帽子５０を示し、帽子５０を下方から見た斜視図である。また、図５は、図４に示した帽子５０を紙面に対して縦方向に切断し、矢印の方向から見たＡ−Ａ段面図である。
【００６７】
図３〜図５に示す通り、本考案の帽子５０は、帽体５１と、帽体周縁部５２の全周に亘って固定されたひさし部５３と、帽体５１の内側下端周縁部５４に固定され、帽体５１が着用者の頭部に装着された場合に前記頭部に当接する頭部当接帯５５と、頭部当接帯５５の幅方向外方に延設され、かつひさし部５３の内方基端部５６に固定され、メッシュ状に形成された２つの第１通気部５７と、帽体５１の構成部材を厚さ方向に連通し、帽体外周部５８に設けられた第２通気部５９とを有しており、第２通気部５９の内方には、帽体５１の内側にメッシュ状部材６０が配設されている。
【００６８】
本考案の帽子５０は、布材からなるドーム形状の帽体５１と、布材からなる平面ドーナツ形状のひさし部５３とを有し、ひさし部５３の内周縁部６１が帽体周縁部５２に縫合されることにより接合されてハット形状に形成されている。
【００６９】
帽体５１は、平面略円形状の布材からなる頭頂被覆片部６２と、上縁部が頭頂被覆片部６２に縫合された、帯状の布材からなる帯状基片部６３とからなる帽体本体部６４と、下縁部がひさし部５３に縫合された、帯状の布材からなる立ち上り部６５とにより構成されている。
【００７０】
帽体５１は、帯状基片部６３の両端部同士が裏面側で縫合されることにより接合されて筒形状に形成されると共に、その周縁部と頭頂被覆片部６２の周縁部とが裏面側で縫合されることにより接合されてドーム形状に形成されている。
【００７１】
帽体５１は、立ち上り部６５の両端部同士が裏面側で縫合されると共に、その下端部６６とひさし部５３の内周縁部６１とが裏面で縫合されることにより接合されている。
【００７２】
メッシュ状部材６０は、帯状のメッシュ状布材からなり、帯状基片部６３の内側において、その両端部同士が裏面側で縫合されることにより接合されて筒形状に形成されている。
【００７３】
メッシュ状部材６０は、メッシュ状部材６０の上端部と頭頂被覆片部６２の内方周縁部とが、互いに密着した状態で縫合されると共に、メッシュ状部材６０の下端部と立ち上り部６５の内方周縁部とが、互いに密着した状態で縫合されている。
【００７４】
頭部当接帯５５は、所定幅の帯状の吸水性布材からなり、メッシュ状部材６０を介して帽体５１の内側下端周縁部５４に沿って、二箇所の第１通気部５７を除いて、略全周域に亘ってひさし部５３の内方基端部５６に縫合固定されている。
【００７５】
２つの第１通気部５７は、平面三日月形状のメッシュ状布材からなり、メッシュ状部材６０を介して、帽体５１の前頭部側及び後頭部側の内側下端周縁部５４に沿って、それぞれ配置されている。
【００７６】
頭部当接帯５５は、帽体５１の両側頭部付近の内側下端周縁部５４において、ひさし部５３に縫合されると共に、二箇所の第１通気部５７の平面三日月形状の内周縁部６７に沿って、ひさし部５３の幅方向端部６８に亘って縫合されている。
【００７７】
２つの第１通気部５７は、ひさし部５３の内方基端部５６からひさし部５３と同一平面上に配置されるように、ひさし部５３の内方側へそれぞれ延設されている。
【００７８】
第２通気部５９は、帽体５１の外周部６９において、同方向に沿って配置された４つのスリット７０により形成されている。
【００７９】
ひさし部５３の内周縁部６１に接合された立ち上り部６５の上端部７１が、帽体本体部６４の下端部７２の内方であって、かつ上方に配置され、前後頭部周辺及び両側頭部周辺の四箇所の上端部７１と下端部７２とが縫合されることにより、４つのスリット７０が帽体５１の内外を厚さ方向に連通してそれぞれ形成されている。
【００８０】
次に、本考案の帽子５０の作用について説明する。
【００８１】
本考案の帽子５０を使用するには、各第１通気部５７を着用者の頭部の前部及び後部に配置するように把持して、頭部当接帯５５を前記頭部の周面上に配置するように着用する。
【００８２】
メッシュ状に形成された第１通気部５７は、ひさし部５３と同一平面上にそれぞれ形成されているので、着用者の額及び後頭部に対して直角に配置され、帽体５１の前部及び後部において着用した場合に、前記額の前方及び前記後頭部の後方に配置され、４つのスリット７０により形成された第２通気部５９は、頭側外周部の全域に配置される。
【００８３】
従って、前記額及び前記後頭部の幅方向略全域に亘って配置されると共に、前記頭部の前部及び後部に配置された第１通気部５７と第２通気部５９とにより、前記頭部と帽子５０との間に空気の流路が形成され、前記頭部の前部及び後部から空気を導入し、上記の帽子１０と同様にして、頭部から発せられた熱を第２通気部５９から外部に放出することができる。
【００８４】
４つのスリット７０により形成された第２通気部５９は、各スリット７０の内部へは入り込まず、ひさし部５３の内周縁部６１に接合された立ち上り部６５の上端部７１が、帽体本体部６４の下端部７２の内方であって、かつ上方に配置される。
【００８５】
従って、にわか雨や夕立などの急な降雨時であっても、雨滴は帽体本体部６４に沿って流下し、帽体本体部６４がカバーの役割を果たして雨滴の流入を確実に防ぐため、頭部を濡らすことなく通気性が良好で快適に着用できる帽子５０を提供することができる。
【００８６】
なお、本考案の帽子５０においては、２つの第１通気部５７を有する形態で説明したが、上記の帽子１０と同様にして、１つの第１通気部５７を有する形態であってもよい。
【００８７】
また、平面三日月形状の第１通気部５７を有する形態で説明したが、例えば、平面ドーナツ形状の第１通気部５７を有する形態であってもよい。
【００８８】
これらの形態であっても、本考案の帽子５０は、頭部から発せられた熱を確実に外部に放出することができる。
【産業上の利用可能性】
【００８９】
本考案の帽子は、頭部から発せられた熱を確実に外部に放出することができるので、近年における猛暑日でも、頭部の蒸れを防止して快適に着用することが可能となり、さらに、通気性を確保しつつ、雨滴の流入を確実に防止することができるので、急な降雨時であっても頭部を濡らさずに着用することが可能となり、防暑及び防滴用の帽子として極めて有用である。
【符号の説明】
【００９０】
１０、５０・・・帽子
１１、５１・・・帽体
１２・・・帽体下端周縁部
１３、５３・・・ひさし部
１４、５４・・・内側下端周縁部
１５、５５・・・頭部当接帯
１６、５６・・・内方基端部
１７、５７・・・第１通気部
１８、５８・・・帽体外周部
１９、５９・・・第２通気部
２０、６０・・・メッシュ状部材
２１、６２・・・頭頂被覆片部
２２、６３・・・帯状基片部
２３・・・頭側被覆片部
２４・・・前部被覆片部
２５・・・頭側被覆小片部
２６・・・後部被覆片部
２７・・・頭頂被覆メッシュ片部
２８・・・頭側被覆メッシュ片部
２９・・・調節部材
３０・・・当接帯前部
３１・・・内周部
３２、６１、６７・・・内周縁部
３３・・・幅方向両端部
３４・・・内側縁部
３５、７０・・・スリット
３６・・・スリット上端部
３７・・・スリット下端部
５２・・・帽体周縁部
６４・・・帽体本体部
６５・・・立ち上り部
６６、７２・・・下端部
６８・・・幅方向端部
６９・・・外周部
７１・・・上端部
【図１】
0003183837.tif 000003
【図２】
0003183837.tif 000004
【図３】
0003183837.tif 000005
【図４】
0003183837.tif 000006
【図５】
0003183837.tif 000007